(57)【特許請求の範囲】
【請求項１】
第１のレベルＰＩＮで入力される移動体通信端末の試験用の複数（ｍ）のベースバンド信号を受けて、前記ベースバンド信号にフェージング処理を施す演算コア部（２３１Ｘ１〜２３１Ｘｍ）を複数含み、前記複数の演算コア部の出力を合成して移動体通信の伝搬路ごとにデジタルのフェージング信号として出力する演算コア部群と、
あらかじめ決められたゲインＧＣに基づき前記フェージング信号のレベルを変更する出力レベル調整部（２３５）と、
を備えたフェージングシミュレータであって、
前記ベースバンド信号間に相関特性がある場合、かつ前記伝搬路間に相関特性がある場合に、レベルが変更された前記フェージング信号のレベルを第２のレベルＰＯＵＴとして測定する出力レベル測定部（２３６）と、
前記ベースバンド信号間に相関特性がある場合、かつ前記伝搬路間に相関特性がある場合に、前記第１のレベルＰＩＮと前記第２のレベルＰＯＵＴとのレベル比Ｋを算出し、該レベル比Ｋが所定の値となるように、前記ゲインＧＣを更新する出力レベル調整制御部（２４）と、
を備えたことを特徴とするフェージングシミュレータ。
【請求項２】
入力される前記ベースバンド信号間の相関特性の有無を検出する相関特性検出部（２２２）を備え、
前記出力レベル調整制御部は、入力される各伝搬路におけるフェージング処理の条件と前記相関検出部が検出した相関特性の有無とを基に、前記ベースバンド信号間に相関特性があり、かつ前記伝搬路間に相関特性がある場合であるかどうかを、判定することを特徴とする請求項１に記載のフェージングシミュレータ。
【請求項３】
前記ベースバンド信号のレベルを測定し、前記第１のレベルＰＩＮを求める入力レベル測定部（２２１）を備え、
前記出力レベル調整制御部は、前記入力レベル測定部の測定結果（ＰＩＮ）に基づき前記レベル比Ｋを算出することを特徴とする請求項１または請求項２に記載のフェージングシミュレータ。
【請求項４】
前記複数（ｍ）のベースバンド信号に対して、前記演算コア部群、前記出力レベル調整部、及び前記出力レベル測定部の組を複数（ｎ）備え、複数の異なる前記フェージング信号を出力することを特徴とする請求項１乃至請求項３のいずれかに記載のフェージングシミュレータ。
【請求項５】
表示部（２８）と、
前記表示部に前記レベル比Ｋを表示させる表示制御部（２６）と、
を備えたことを特徴とする請求項１乃至請求項４のいずれかに記載のフェージングシミュレータ。
【請求項６】
あらかじめ決められた期間中に、前記レベル比Ｋが前記所定の値とならなかった場合に、その旨を通知することを特徴とする請求項１乃至請求項５のいずれかに記載のフェージングシミュレータ。
【請求項７】
出力レベルとして第１のレベルＰＩＮを有する試験用の複数（ｍ）のデジタルのベースバンド信号を生成するベースバンド信号生成部（１１）と、
前記複数のベースバンド信号を受けて、ＭＩＭＯを構成する伝搬路に応じて複数（ｎ）のフェージング信号を出力するフェージングシミュレータ（２０）と、
前記フェージングシミュレータから出力された前記各フェージング信号をアナログ信号に変換し、所定の通信方式に従い周波数変換して試験対象である移動体通信端末に出力する送信部（１２）と、
を備えた移動体通信端末試験システムにおいて、
前記フェージングシミュレータは、
前記複数のベースバンド信号を受けて、前記ベースバンド信号にフェージング処理を施す演算コア部（２３１Ｘ１〜２３１Ｘｍ）を複数含み、前記複数の演算コア部の出力を合成して前記伝搬路ごとにデジタルのフェージング信号として出力する演算コア部群と、
あらかじめ決められたゲインＧＣに基づき前記フェージング信号のレベルを変更する出力レベル調整部（２３５）と、
前記ベースバンド信号間に相関特性がある場合、かつ前記伝搬路間に相関特性がある場合に、レベルが変更された前記フェージング信号のレベルを第２のレベルＰＯＵＴとして測定する出力レベル測定部（２３６）と、
前記ベースバンド信号間に相関特性がある場合、かつ前記伝搬路間に相関特性がある場合に、前記第１のレベルＰＩＮと前記第２のレベルＰＯＵＴとの比をレベル比Ｋとして算出し、該レベル比Ｋが所定の値となるように、前記ゲインＧＣを更新する出力レベル調整制御部（２４）と、
を備えたことを特徴とする移動体通信端末試験システム。
【請求項８】
前記フェージングシミュレータは、前記複数（ｍ）のベースバンド信号に対して、前記演算コア部群、前記出力レベル調整部、及び前記出力レベル測定部の組を複数（ｎ）備え、複数の異なる前記フェージング信号を出力することを特徴とする請求項７に記載の移動体通信端末試験システム。
【請求項９】
第１のレベルＰＩＮで入力される移動体通信端末の試験用の複数のベースバンド信号を受けて、移動体通信の伝搬路ごとにフェージング信号を出力するフェージングシミュレータ（２０）を用いたフェージング処理方法であって、
前記複数のベースバンド信号間の相関特性、かつ前記伝搬路間の相関特性を検出する相関特性検出ステップと、
前記複数のベースバンド信号にフェージング処理を施し、その出力を合成してフェージング信号として出力するフェージング処理ステップと、
あらかじめ決められたゲインＧＣに基づき前記フェージング信号のレベルを変更するレベル調整ステップと、
前記ベースバンド信号間に相関特性がある場合、かつ前記伝搬路間に相関特性がある場合に、レベルが変更された該フェージング信号のレベルを第２のレベルＰＯＵＴとして測定する第２の測定ステップと、
前記ベースバンド信号間に相関特性がある場合、かつ前記伝搬路間に相関特性がある場合に、前記第１のレベルＰＩＮと前記第２のレベルＰＯＵＴとのレベル比Ｋを算出し、該レベル比Ｋが所定の値となるように、前記ゲインＧＣを更新するゲイン調整ステップと、
を備えたことを特徴とするフェージング処理方法。
【発明の詳細な説明】
【技術分野】
【０００１】
本発明は、移動体通信端末と基地局との間の空間伝搬によって生じるフェージングを模擬するフェージング処理の技術に関し、特にフェージング処理後の信号のレベルを調整するための技術に関する。
【背景技術】
【０００２】
移動体通信端末と基地局との間の空間伝搬によって生じるフェージングを模擬的に与えた信号（以下、「フェージング信号」と呼ぶ場合がある）を生成するフェージングシミュレータがある。無線通信用の信号は、一般的にはベースバンド帯の所望の信号で変調された搬送波により送信される。フェージングを模擬する方法としては、ベースバンド信号にフェージング処理を施す方法と、搬送波にフェージング処理を施す方法とがある。近年の信号の高周波化及び広帯域化に伴い、信号をデジタルで制御可能であるという点から、ベースバンド信号にフェージング処理を施す方法がしばしば用いられている。このようなフェージングシミュレータの一例が、特許文献１に開示されている。
【０００３】
一方で、携帯電話等に代表される移動体通信端末では、インターネットからの情報をダウンロードすることが多くなり、下りの情報伝達量がより多く要求されてきている。しかしながら、情報量を増やすために周波数帯域を広くすることは、通信可能な端末数を減少させることになり、システム全体としての情報伝達量を増加させることにならない。この問題を解決する一つの方式として、ＭＩＭＯ（Ｍｕｌｔｉｐｌｅ  Ｉｎｐｕｔ  Ｍｕｌｔｉｐｌｅ  Ｏｕｔｐｕｔ）方式が提案されている。
【０００４】
ＭＩＭＯ方式では、基地局側で移動体通信端末に伝達したい情報を複数「Ｍ」のアンテナから同一周波数で同時に出力し、これを移動体通信端末が複数「Ｎ」のアンテナで受信して移動体通信端末の内部で情報の分離処理を行う。これによりＭＩＭＯ方式は、情報伝達量の向上を可能としている。
【０００５】
ＭＩＭＯを構成する伝搬路の数は、基地局側のアンテナの数「Ｍ」と、移動体通信端末側のアンテナの数「Ｎ」との組合せの数に相当する。ＭＩＭＯ方式を採用する移動体通信システムを想定したフェージングシミュレータでは、生成された複数のベースバンド信号に対して、各ベースバンド信号に伝搬路に応じたフェージング処理を施してフェージング信号を生成する。このとき、フェージング信号は、フェージング処理が施された複数のベースバンド信号が加算されて生成される。そのため、フェージングシミュレータは、各ベースバンド信号が重畳することにより増大するフェージング信号のレベルを、所定のレベルに調整して出力している。この所定のレベルとしては、例えば、ベースバンド信号のレベルを、操作者が指定したゲインに基づき調整された値があげられる。
【０００６】
従来のフェージングシミュレータの一例では、ベースバンド信号間に相関関係が無い場合を想定して動作させていた。ベースバンド信号間に相関関係が無い場合には、フェージング信号のレベルの理論値を、各ベースバンド信号のレベルに基づきあらかじめ算出することが可能である。そのため、従来のフェージングシミュレータの一例は、フェージング信号のレベルの理論値に基づき、フェージング信号のレベルのゲインを決定していた。
【０００７】
しかしながら、ベースバンド信号間に相関関係がある場合には、フェージング処理の条件（例えば、位相の違い）によってフェージング信号のレベルが変動して、理論値が一意に決定されない。そのため、各ベースバンド信号のレベルからフェージング信号のレベルを算出することは困難である。また、フェージング条件が設定された各伝搬路間に相関がある場合も同様に困難である。したがって、これらの場合には、従来のフェージングシミュレータは、フェージング信号のレベルに応じてゲインを変更することができず、高確度で出力レベルを一定に保つことが困難であった。
【先行技術文献】
【特許文献】
【０００８】
【特許文献１】特開２０１０−９８６５０号公報
【発明の概要】
【発明が解決しようとする課題】
【０００９】
この発明は、フェージング信号のレベルを所望の範囲内に収めることを目的とする。
【課題を解決するための手段】
【００１０】
上記目的を達成するために、この請求項１に記載の発明は、第１のレベルＰＩＮで入力される移動体通信端末の試験用の複数（ｍ）のベースバンド信号を受けて、前記ベースバンド信号にフェージング処理を施す演算コア部（２３１Ｘ１〜２３１Ｘｍ）を複数含み、前記複数の演算コア部の出力を合成して移動体通信の伝搬路ごとにデジタルのフェージング信号として出力する演算コア部群と、あらかじめ決められたゲインＧＣに基づき前記フェージング信号のレベルを変更する出力レベル調整部（２３５）と、を備えたフェージングシミュレータであって、前記ベースバンド信号間に相関特性がある場合、かつ前記伝搬路間に相関特性がある場合に、レベルが変更された前記フェージング信号のレベルを第２のレベルＰＯＵＴとして測定する出力レベル測定部（２３６）と、前記ベースバンド信号間に相関特性がある場合、かつ前記伝搬路間に相関特性がある場合に、前記第１のレベルＰＩＮと前記第２のレベルＰＯＵＴとのレベル比Ｋを算出し、該レベル比Ｋが所定の値となるように、前記ゲインＧＣを更新する出力レベル調整制御部（２４）と、を備えたことを特徴とするフェージングシミュレータである。
また、請求項２に記載の発明は、請求項１に記載のフェージングシミュレータであって、入力される前記ベースバンド信号間の相関特性の有無を検出する相関特性検出部（２２２）を備え、前記出力レベル調整制御部は、入力される各伝搬路におけるフェージング処理の条件と前記相関検出部が検出した相関特性の有無とを基に、前記ベースバンド信号間に相関特性があり、かつ前記伝搬路間に相関特性がある場合であるかどうかを、判定することを特徴とする。
また、請求項３に記載の発明は、請求項１または請求項２に記載のフェージングシミュレータであって、前記ベースバンド信号のレベルを測定し、前記第１のレベルＰＩＮを求める入力レベル測定部（２２１）を備え、前記出力レベル調整制御部は、前記入力レベル測定部の測定結果（ＰＩＮ）に基づき前記レベル比Ｋを算出することを特徴とする。
また、請求項４に記載の発明は、請求項１乃至請求項３のいずれかに記載のフェージングシミュレータであって、前記複数（ｍ）のベースバンド信号に対して、前記演算コア部群、前記出力レベル調整部、及び前記出力レベル測定部の組を複数（ｎ）備え、複数の異なる前記フェージング信号を出力することを特徴とする。
また、請求項５に記載の発明は、請求項１乃至請求項４のいずれかに記載のフェージングシミュレータであって、表示部（２８）と、前記表示部に前記レベル比Ｋを表示させる表示制御部（２６）と、を備えたことを特徴とする。
また、請求項６に記載の発明は、請求項１乃至請求項５のいずれかに記載のフェージングシミュレータであって、あらかじめ決められた期間中に、前記レベル比Ｋが前記所定の値とならなかった場合に、その旨を通知することを特徴とする。
また、請求項７に記載の発明は、出力レベルとして第１のレベルＰＩＮを有する試験用の複数（ｍ）のデジタルのベースバンド信号を生成するベースバンド信号生成部（１１）と、前記複数のベースバンド信号を受けて、ＭＩＭＯを構成する伝搬路に応じて複数（ｎ）のフェージング信号を出力するフェージングシミュレータ（２０）と、前記フェージングシミュレータから出力された前記各フェージング信号をアナログ信号に変換し、所定の通信方式に従い周波数変換して試験対象である移動体通信端末に出力する送信部（１２）と、を備えた移動体通信端末試験システムにおいて、前記フェージングシミュレータは、前記複数のベースバンド信号を受けて、前記ベースバンド信号にフェージング処理を施す演算コア部（２３１Ｘ１〜２３１Ｘｍ）を複数含み、前記複数の演算コア部の出力を合成して前記伝搬路ごとにデジタルのフェージング信号として出力する演算コア部群と、あらかじめ決められたゲインＧＣに基づき前記フェージング信号のレベルを変更する出力レベル調整部（２３５）と、前記ベースバンド信号間に相関特性がある場合、かつ前記伝搬路間に相関特性がある場合に、レベルが変更された前記フェージング信号のレベルを第２のレベルＰＯＵＴとして測定する出力レベル測定部（２３６）と、前記ベースバンド信号間に相関特性がある場合、かつ前記伝搬路間に相関特性がある場合に、前記第１のレベルＰＩＮと前記第２のレベルＰＯＵＴとの比をレベル比Ｋとして算出し、該レベル比Ｋが所定の値となるように、前記ゲインＧＣを更新する出力レベル調整制御部（２４）と、を備えたことを特徴とする移動体通信端末試験システムである。
また、請求項８に記載の発明は、請求項７に記載の移動体通信端末試験システムであって、前記フェージングシミュレータは、前記複数（ｍ）のベースバンド信号に対して、前記演算コア部群、前記出力レベル調整部、及び前記出力レベル測定部の組を複数（ｎ）備え、複数の異なる前記フェージング信号を出力することを特徴とする。
また、請求項９に記載の発明は、第１のレベルＰＩＮで入力される移動体通信端末の試験用の複数のベースバンド信号を受けて、移動体通信の伝搬路ごとにフェージング信号を出力するフェージングシミュレータ（２０）を用いたフェージング処理方法であって、前記複数のベースバンド信号間の相関特性、かつ前記伝搬路間の相関特性を検出する相関特性検出ステップと、前記複数のベースバンド信号にフェージング処理を施し、その出力を合成してフェージング信号として出力するフェージング処理ステップと、あらかじめ決められたゲインＧＣに基づき前記フェージング信号のレベルを変更するレベル調整ステップと、前記ベースバンド信号間に相関特性がある場合、かつ前記伝搬路間に相関特性がある場合に、レベルが変更された該フェージング信号のレベルを第２のレベルＰＯＵＴとして測定する第２の測定ステップと、前記ベースバンド信号間に相関特性がある場合、かつ前記伝搬路間に相関特性がある場合に、前記第１のレベルＰＩＮと前記第２のレベルＰＯＵＴとのレベル比Ｋを算出し、該レベル比Ｋが所定の値となるように、前記ゲインＧＣを更新するゲイン調整ステップと、を備えたことを特徴とするフェージング処理方法である。
【発明の効果】
【００１１】
本発明に係るフェージングシミュレータは、ベースバンド信号間に相関関係がある場合、かつ前記伝搬路間に相関特性がある場合に、ベースバンド信号のレベルとフェージング信号のレベルとに基づきレベル比を算出し、このレベル比が所定の値となるように、フェージング信号のレベルを調整する。これにより、本発明に係るフェージングシミュレータは、ベースバンド信号間に相関関係がある場合、かつ前記伝搬路間に相関特性がある場合に、フェージング信号のレベルを所定の範囲内に収めることが可能となる。
【図面の簡単な説明】
【００１２】
【図１】本発明の実施形態の構成を示すブロック図である。
【図２】本発明の実施形態に係るフェージング演算部のブロック図である。
【図３】本発明の実施形態に係る演算コア部のブロック図である。
【図４】レベルの調整方法の特定に係る処理のフローチャートである。
【図５】フェージング信号のレベル調整に係る処理のフローチャートである。
【発明を実施するための形態】
【００１３】
本発明の実施形態について図１を参照しながら説明する。図１に示す移動体通信端末試験システム１には、本実施形態に係るフェージングシミュレータが適用されている。
【００１４】
移動体通信端末試験システム１は、一般的には、所定の通信方式に基づきベースバンド信号が周波数変換された搬送波を、疑似基地局装置の送信部から被試験端末に送信して被試験端末の受信特性を試験する。また、移動体通信端末試験システム１は、被試験端末から送信された信号を、疑似基地局装置の受信部で受信して被試験端末の送信特性を試験する。フェージングシミュレータは、疑似基地局装置の送信側の構成に接続され、試験用に生成された信号に対してフェージング処理を施す。以降では、被試験端末に搬送波を送信するための構成に着目して説明する。
【００１５】
移動体通信端末試験システム１は、基地局模擬装置１０と、それに外付けされるフェージングシミュレータ２０とで構成されている。基地局模擬装置１０は、被試験端末２と無線または有線による通信が可能に構成されている。なお、基地局模擬装置１０とフェージングシミュレータ２０は、同一筐体内に設けられていてもよい。
【００１６】
基地局模擬装置１０は、ベースバンド信号生成部１１と、送信部１２とを含んで構成されている。フェージングシミュレータ２０は、ベースバンド信号生成部１１と送信部１２との間に接続される。フェージングシミュレータ２０は、フェージング演算部２１と、設定制御部２５と、表示制御部２６と、操作部２７と、表示部２８とを含んで構成される。
【００１７】
まず、フェージングシミュレータ２０の動作の概要について説明する。フェージングシミュレータ２０は、あらかじめ決められた数「ｍ」のベースバンド信号をベースバンド信号生成部１１から受け、これらのベースバンド信号にフェージング処理を施し、ＭＩＭＯを構成する伝搬路に応じてあらかじめ決められた数「ｎ」のフェージング信号を送信部１２に出力する。以降では、フェージングシミュレータ２０は、ベースバンド信号Ｘ１〜Ｘｍを受け、フェージング信号Ｙ１〜Ｙｎを出力するものとして説明する。
【００１８】
本実施形態に係るフェージングシミュレータ２０は、出力されるフェージング信号（Ｙ１〜Ｙｎ）ごとに出力レベルの調整を可能としており、そのためのパラメタとしてゲインＧＯ１〜ＧＯｎを設けている。ここで、ゲインＧＯ１はフェージング信号Ｙ１に対応しており、ゲインＧＯｎはフェージング信号Ｙ１ｎに対応している。操作者は、操作部２７を介してゲインＧＯ１〜ＧＯｎを設定することで各フェージング信号の出力レベルを指定する。フェージング信号Ｙ１を例とすると、フェージングシミュレータ２０は、フェージング信号Ｙ１のレベルが、ゲインＧＯ１により調整されたベースバンド信号Ｘ１のレベルと等しくなるようにフェージング演算部２１を動作させる。このフェージング演算部２１の動作については後述する。
【００１９】
また、フェージング信号Ｙ１〜Ｙｎは、複数のベースバンド信号Ｘ１〜Ｘｍごとにフェージング処理が施された複数の信号が重畳されたものであるため、ベースバンド信号Ｘ１〜Ｘｍよりも出力レベルが高くなる場合がある。そのため、フェージングシミュレータ２０には、フェージング信号Ｙ１〜Ｙｎのレベルを調整するためのゲインＧＣが設けられている。フェージングシミュレータ２０は、ゲインＧＣによりフェージング信号Ｙ１〜Ｙｎを減衰させて出力する。ゲインＧＣの詳細については後述する。また、以降では、ゲインＧＣによりレベルが調整される前のフェージング信号を「フェージング信号Ｚ１〜Ｚｎ」と呼び、「フェージング信号Ｙ１〜Ｙｎ」は、ゲインＧＣによりレベルが調整された後のフェージング信号を指すものとする。
【００２０】
また、フェージングシミュレータ２０には、フェージング信号Ｙ１〜Ｙｎのレベルの調整方法（モード）として「固定ゲイン調整」及び「自動ゲイン調整」の２つのモードが設けられている。「固定ゲイン調整」は、ゲインＧＣとしてあらかじめ決められた固定値を使用するモードである。また、「自動ゲイン調整」は、フェージング信号Ｙ１〜Ｙｎの出力に基づき、フェージングシミュレータ２０がゲインＧＣを調整するモードである。レベルの調整方法の特定に係る具体的な動作については後述する。
【００２１】
次に、各構成の動作について説明する。ベースバンド信号生成部１１は、同じ出力レベルを示す試験用のベースバンド信号Ｘ１〜Ｘｍを生成する。ベースバンド信号生成部１１は、生成された各ベースバンド信号Ｘ１〜Ｘｍを、フェージング演算部２１に出力する。なお、基地局模擬装置１０にフェージングシミュレータ２０を接続しない場合（言い換えると、上記したように一般的な疑似基地局として動作する場合）、ベースバンド信号生成部１１は、ベースバンド信号Ｘ１〜Ｘｍを送信部１２に出力する。
【００２２】
設定制御部２５は、操作者により指定されたフェージング処理の条件（以降では、「フェージング条件」と呼ぶ場合がある）を操作部２７から受ける。このフェージング条件には、「レベルの調整方法」、「マルチパスの有無」、「遅延」、「減衰」、及び「雑音」の条件を示すパラメタ、「ドップラ周波数」を示すパラメタ、及び前述したゲインＧＯ１〜ＧＯｎが含まれる。また、設定制御部２５は、これらのパラメタに基づいて「伝搬路間の相関の有無」を判定して、新たなパラメタとする。この伝搬路間の相関の有無は、例えば、フェージング処理における雑音の印加のしかたにより決定される。言い換えると、設定制御部２５は、全ての伝搬路がレイリーフェージングであり、かつ相関係数が０の場合に、伝搬路間の相関が無いと判断する。また、設定制御部２５は、少なくとも１つの伝搬路がレイリーフェージングではない場合、または、相関係数が０ではない場合に、伝搬路間の相関があると判断する。設定制御部２５は、これらのパラメタをフェージング演算部２１に出力する。
【００２３】
ここで図２を参照する。図２は、フェージング演算部２１のブロック図を示している。フェージング演算部２１は、入力レベル測定部２２１と、相関特性検出部２２２と、複数のフェージング信号生成部２３Ｙ１〜２３Ｙｎと、出力レベル調整制御部２４とを含んで構成される。フェージング信号生成部２３Ｙ１〜２３Ｙｎは、フェージング信号ごとに設けられている。以降では、フェージング信号生成部２３Ｙ１は、フェージング信号Ｙ１に対応し、フェージング信号生成部２３Ｙｎは、フェージング信号Ｙｎに対応して設けられているものとして説明する。
【００２４】
ベースバンド信号生成部１１から出力されたベースバンド信号Ｘ１〜Ｘｍは、入力レベル測定部２２１と、相関特性検出部２２２と、フェージング信号生成部２３Ｙ１〜２３Ｙｎとに入力される。
【００２５】
入力レベル測定部２２１は、ベースバンド信号生成部１１から同一レベルのベースバンド信号Ｘ１〜Ｘｍを受けて、ベースバンド信号Ｘ１〜Ｘｍのレベルを入力レベルＰＩＮとして測定する。このとき、入力レベル測定部２２１は、ベースバンド信号Ｘ１〜Ｘｍのうちいずれかのレベル、例えばベースバンド信号Ｘｍのレベルを測定し、これを入力レベルＰＩＮとする。
【００２６】
なお、測定期間Ｔは、以下に示す［ａ］〜［ｄ］のいずれかにより決定される。
［ａ］フェージングシミュレータ２０のサンプリング信号の周期に基づく値。
［ｂ］フェージングシミュレータ２０に設定されたフェージング条件に基づく値。
［ｃ］通信の条件に基づく値。
［ｄ］あらかじめ実験的に測定することで経験的に決定された値。
【００２７】
［ａ］の場合には、フェージングシミュレータ２０のサンプリング信号の周期の整数倍（例えば１００００〜１０００００倍）の期間を測定期間とする。また、［ｂ］の場合には、例えば、フェージング条件として設定されたドップラ周波数の逆数の整数倍（例えば１０倍）の期間を測定期間とする。また、［ｃ］の場合には、例えば、フレーム長やスロット長に相当する期間の整数倍（例えば１０倍）を測定期間とする。また、［ａ］〜［ｄ］のいずれかの期間のみを特定して測定期間としてもよいし、［ａ］〜［ｄ］それぞれの期間を特定し、その中から最も長い期間を測定期間としてもよい。
【００２８】
また、入力レベルＰＩＮは、Ｘｍ（ｔ）Ｘｍ＊（ｔ）をあらかじめ決められた測定期間Ｔだけ積算する関数としても表される。ここで、Ｘｍ（ｔ）は、時間ｔにおけるベースバンド信号Ｘｍのレベルを示している。また、Ｘｍ＊（ｔ）は、Ｘｍ（ｔ）の共役複素数を示している。
【００２９】
入力レベル測定部２２１は、測定された入力レベルＰＩＮを出力レベル調整制御部２４に出力する。出力レベル調整制御部２４については後述する。また、入力レベル測定部２２１は、入力レベルＰＩＮを表示制御部２６に出力する。表示制御部２６については後述する。
【００３０】
相関特性検出部２２２は、ベースバンド信号Ｘ１〜Ｘｍ間の相関特性を検出する。以下に、相関特性検出部２２２による相関特性の具体的な検出方法について説明する。相関特性検出部２２２は、ベースバンド信号Ｘｉとベースバンド信号Ｘｊとの間の相関特性Ｒｉｊを、Ｘｉ（ｔ）Ｘｊ＊（ｔ）をあらかじめ決められた測定期間Ｔだけ積算することで算出する（Ｘ１≦Ｘｉ，Ｘｊ≦Ｘｍ，Ｘｉ≠Ｘｊ）。なお、この測定期間Ｔは、入力レベルＰＩＮの測定期間Ｔと同様である。
【００３１】
相関特性検出部２２２は、算出された相関特性Ｒｉｊが、あらかじめ決められた値未満の場合（理想的には、Ｒｉｊ＝０の場合）に、ベースバンド信号ＸｉとＸｊとの間には相関が無いと判定する。また、相関特性検出部２２２は、相関特性Ｒｉｊが、あらかじめ決められた値以上の場合に、ベースバンド信号ＸｉとＸｊとの間には相関があると判定する。
【００３２】
なお、相関特性検出部２２２は、ベースバンド信号Ｘｉと信号Ｘｊと間の相関特性として、相関特性Ｒｉｊ及びＲｊｉのいずれかのみを算出して相関の有無を判定する。このとき、Ｘｉ（ｔ）Ｘｊ＊（ｔ）とＸｊ（ｔ）Ｘｉ＊（ｔ）とは複素共役の関係にある。
【００３３】
このようにして、相関特性検出部２２２は、ベースバンド信号Ｘ１〜Ｘｍの全ての組合せについて相関の有無を判定する。全ての組合せについて相関が無いと判定された場合、相関特性検出部２２２は、ベースバンド信号Ｘ１〜Ｘｍ間に相関が無いことを出力レベル調整制御部２４に通知する。また、少なくとも１つの組合せについて相関があると判定された場合、相関特性検出部２２２は、ベースバンド信号Ｘ１〜Ｘｍ間に相関があることを出力レベル調整制御部２４に通知する。また、相関特性検出部２２２は、ベースバンド信号Ｘ１〜Ｘｍ間における相関の有無を表示制御部２６に出力する。
【００３４】
次に、フェージング信号生成部２３Ｙ１〜２３Ｙｎの構成について、フェージング信号生成部２３Ｙ１を例に説明する。フェージング信号生成部２３Ｙ１は、演算コア部２３１Ｘ１〜２３１Ｘｍと、加算器２３４と、出力レベル調整部２３５と、出力レベル測定部２３６とを含んで構成される。なお、フェージング信号生成部２３Ｙ２〜２３Ｙｎについても、フェージング信号生成部２３Ｙ１と同様の構成を有している。
【００３５】
演算コア部２３１Ｘ１〜２３１Ｘｍは、入力されるベースバンド信号Ｘ１〜Ｘｍに対応付けられて設けられている。フェージング信号生成部２３Ｙ１に入力されたベースバンド信号Ｘ１〜Ｘｍは、それぞれ対応する演算コア部に入力される。言い換えると、ベースバンド信号Ｘ１は演算コア部２３１Ｘ１に入力され、ベースバンド信号Ｘｍは演算コア部２３１Ｘｍに入力される。
【００３６】
演算コア部２３１Ｘ１〜２３１Ｘｍの詳細な構成について、図３を参照しながら、演算コア部２３１Ｘ１を例に具体的に説明する。図３は、演算コア部２３１Ｘ１の構成を示したブロック図である。なお、演算コア部２３１Ｘ２〜２３１Ｘｍについても演算コア部２３１Ｘ１と同様の構成を有している。
【００３７】
演算コア部２３１Ｘ１は、複数のマルチパス演算コア部２３２Ｘ１１〜２３２Ｘ１ｋと、加算器２３３Ｘ１とを含んで構成されている。
【００３８】
マルチパス演算コア部は、フェージングを模擬するためのマルチパスを構成する経路ごとに設けられている。図３は、経路１〜経路ｋによるマルチパスを想定した構成を示しており、マルチパス演算コア部２３２Ｘ１１は経路１に対応し、マルチパス演算コア部２３２Ｘ１ｋは経路ｋに対応している。以下、マルチパス演算コア部２３２Ｘ１１〜２３２Ｘ１ｋの構成について、マルチパス演算コア部２３２Ｘ１１を例に説明する。
【００３９】
ベースバンド信号生成部１１から演算コア部２３１Ｘ１に出力されたベースバンド信号Ｘ１は、マルチパス演算コア部２３２Ｘ１１〜２３２Ｘ１ｋそれぞれに入力される。つまり、マルチパス演算コア部２３２Ｘ１１には、ベースバンド信号Ｘ１が入力される。また、マルチパス演算コア部２３２Ｘ１１は、経路１に対応したフェージング条件（例えば、遅延、減衰、雑音等の条件）を示す情報を設定制御部２５から受ける。また、マルチパス演算コア部２３２Ｘ１１は、フェージング信号Ｙ１に対応して設定されたレベルのゲインＧＯ１を受ける。
【００４０】
本実施形態に係るフェージング演算部２１は、フェージング信号Ｙ１を例とすると、フェージング信号Ｙ１のレベルがＧＯ１ＰＩＮとなるようにマルチパス演算コア部２３２Ｘ１１〜２３２Ｘ１ｋ及び出力レベル調整部２３５を動作させる。なお、ＰＩＮは、前述したベースバンド信号Ｘ１〜Ｘｍの入力レベルＰＩＮを示している。また、この制御に係るマルチパス演算コア部２３２Ｘ１１〜２３２Ｘ１ｋ及び出力レベル調整部２３５の動作については後述する。
【００４１】
マルチパス演算コア部２３２Ｘ１１は、入力されたベースバンド信号Ｘ１に対して、経路１に対応したフェージング条件に基づきフェージング処理を施してデジタルのフェージング信号Ｘ１１’を生成する。フェージング処理の一例としては、ベースバンド信号Ｘ１に対する遅延処理や減衰処理が含まれる。また、フェージングの条件に応じて、信号の散乱を模擬するために、ベースバンド信号Ｘ１にノイズを付加してもよい。マルチパス演算コア部２３２Ｘ１１は、生成されたフェージング信号Ｘ１１’を加算器２３３Ｘ１に出力する。同様に、マルチパス演算コア部２３２Ｘ１２〜２３２Ｘ１ｋは、フェージング信号Ｘ１２’〜Ｘ１ｋ’を生成し、生成されたフェージング信号Ｘ１２’〜Ｘ１ｋ’を加算器２３３Ｘ１に出力する。
【００４２】
加算器２３３Ｘ１は、マルチパス演算コア部２３２Ｘ１１〜２３２Ｘ１ｋからフェージング信号Ｘ１１’〜Ｘ１ｋ’を受ける。加算器２３３Ｘ１は、フェージング信号Ｘ１１’〜Ｘ１ｋ’を加算してフェージング信号Ｘ１’を生成する。加算器２３３Ｘ１は、生成されたフェージング信号Ｘ１’を加算器２３４（図２参照）に出力する。
【００４３】
上記のようにして、演算コア部２３１Ｘ１〜２３１Ｘｍで生成されたフェージング信号Ｘ１’〜Ｘｍ’が加算器２３４に出力される。加算器２３４は、フェージング信号Ｘ１’〜Ｘｍ’を加算してフェージング信号Ｚ１を生成する。加算器２３４は、生成されたフェージング信号Ｚ１を出力レベル調整部２３５に出力する。なお、演算コア部２３１Ｘ１〜２３１Ｘｍ、及び加算器２３４が「演算コア部群」に相当する。
【００４４】
出力レベル調整部２３５は、出力レベル調整制御部２４からゲインＧＣを受ける。ゲインＧＣは出力レベル調整制御部２４により、フェージング信号（Ｙ１〜Ｙｎ）ごとに算出される。出力レベル調整制御部２４については後述する。なお以降では、フェージング信号Ｙ１に対応するゲインＧＣを「ゲインＧＣ１」と記載する場合がある。同様に、フェージング信号Ｙｎに対応するゲインＧＣの場合は「ゲインＧＣｎ」と記載する場合がある。また、説明上フェージング信号（Ｙ１〜Ｙｎ）との対応を特に明記する必要が無い場合には、単に「ゲインＧＣ」と記載する。
【００４５】
また、出力レベル調整部２３５は、加算器２３４からフェージング信号Ｚ１を受ける。出力レベル調整部２３５は、ゲインＧＣ１を基にフェージング信号Ｚ１のレベルを調整する（即ち、減衰させる）。なお、ゲインＧＣ１を基にレベルが調整されたフェージング信号Ｚ１が、フェージング信号Ｙ１に相当する。
【００４６】
また、出力レベル調整部２３５は、出力レベル調整制御部２４から新たなゲインＧＣ１を受ける。この場合には、出力レベル調整部２３５は、フェージング信号Ｚ１のレベルの調整に用いていたゲインＧＣ１を、新たなゲインＧＣ１に更新する。その後、出力レベル調整部２３５は、新たなゲインＧＣに基づきフェージング信号Ｚ１のレベルを調整する。
【００４７】
出力レベル調整部２３５は、フェージング信号Ｙ１を出力レベル測定部２３６及び送信部１２（図１参照）に出力する。
【００４８】
出力レベル測定部２３６は、出力レベル調整部２３５からフェージング信号Ｙ１を受けて、フェージング信号Ｙ１のレベルを出力レベルＰＯＵＴとして測定する。なお、出力レベルＰＯＵＴの測定期間は、入力レベルＰＩＮの測定期間Ｔと同様である。
【００４９】
また、出力レベルＰＯＵＴは、Ｙ１（ｔ）Ｙ１＊（ｔ）をあらかじめ決められた測定期間Ｔだけ積算する関数としても表される。ここで、Ｙ１（ｔ）は、時間ｔにおけるフェージング信号Ｙ１のレベルを示している。また、Ｙ１＊（ｔ）は、Ｙ１（ｔ）の共役複素数を示している。
【００５０】
出力レベル測定部２３６は、測定された出力レベルＰＯＵＴを出力レベル調整制御部２４に出力する。また、出力レベル測定部２３６は、出力レベルＰＯＵＴを表示制御部２６に出力する。なお、出力レベルＰＯＵＴの測定及び出力は、フェージング信号生成部２３Ｙ１〜２３Ｙｎの各出力レベル測定部２３６が個々に行う。つまり、フェージング信号（Ｙ１〜Ｙｎ）ごとに出力レベルＰＯＵＴが出力レベル調整制御部２４及び表示制御部２６に出力される。以降では、フェージング信号Ｙ１に対応する出力レベルＰＯＵＴを「出力レベルＰＯＵＴ１」と記載する場合がある。同様に、フェージング信号Ｙｎに対応する出力レベルＰＯＵＴの場合は「出力レベルＰＯＵＴｎ」と記載する場合がある。また、説明上フェージング信号Ｙ１〜Ｙｎとの対応を特に明記する必要が無い場合には、単に「出力レベルＰＯＵＴ」と記載する。
【００５１】
出力レベル調整制御部２４は、フェージングシミュレータ２０が起動すると、まずフェージング信号のレベルの調整方法を「固定ゲイン調整」及び「自動ゲイン調整」のいずれかに特定する。その後、出力レベル調整制御部２４は、特定されたレベルの調整方法に基づきゲインＧＣ１〜ＧＣｎを調整することで、フェージング信号Ｙ１〜Ｙｎのレベルを調整する。以降では、出力レベル調整制御部２４の動作を「レベルの調整方法の特定」と「フェージング信号のレベル調整」とに分けて説明する。
【００５２】
（レベルの調整方法の特定）
まず、「レベルの調整方法の特定」に係る出力レベル調整制御部２４の動作について図４を参照しながら説明する。図４は、レベルの調整方法の特定に係る処理のフローチャートである。
【００５３】
（ステップＳ１１）
出力レベル調整制御部２４は、設定制御部２５からフェージング処理の条件を受ける。このフェージング処理の条件には、操作者により指定されたパラメタとして、レベルの調整方法、伝搬路間の相関の有無、マルチパスの有無、及びゲインＧＯ１〜ＧＯｎが含まれている。この伝搬路間の相関の有無は、設定制御部２５が設定されたフェージング処理の条件から判断している。
【００５４】
（ステップＳ１２）
まず、出力レベル調整制御部２４は、操作者により指定されたレベルの調整方法を確認する。指定されたレベルの調整方法が「自動ゲイン調整」ではない場合には（ステップＳ１２、Ｎ）、出力レベル調整制御部２４は、レベルの調整方法として「固定ゲイン調整」を設定して（ステップＳ１９）、レベルの調整方法の特定に係る処理を終了する。
【００５５】
（ステップＳ１３）
指定されたレベルの調整方法が「自動ゲイン調整」の場合には（ステップＳ１２、Ｙ）、出力レベル調整制御部２４は、伝搬路間の相関の有無の有無を確認する。伝搬路間に相関が無い場合には（ステップＳ１３、Ｎ）、出力レベル調整制御部２４は、レベルの調整方法として「固定ゲイン調整」を設定して（ステップＳ１９）、レベルの調整方法の特定に係る処理を終了する。
【００５６】
（ステップＳ１４）
伝搬路間に相関がある場合には（ステップＳ１３、Ｙ）、出力レベル調整制御部２４は、マルチパスの有無を確認する。マルチパスが設定されていた場合（ステップＳ１４、Ｙ）、つまり、伝搬路ごとに複数の経路が存在する場合には、出力レベル調整制御部２４は、レベルの調整方法として「自動ゲイン調整」を設定して（ステップＳ１８）レベルの調整方法の特定に係る処理を終了する。なお、マルチパスが設定されている場合は、図２及び図３の回路に示されるように、１つのベースバンド信号について複数経路でフェージングを生じさせるので、つまり実効的にベースバンド信号間の相関特性が生じるので、ベースバンド信号間の相関特性を調べるまでもなく「自動ゲイン調整」を設定している。
【００５７】
（ステップＳ１５）
マルチパスが設定されていない場合には（ステップＳ１４、Ｎ）、出力レベル調整制御部２４は、ベースバンド信号Ｘ１〜Ｘｎ間の相関特性を確認する。そのため、まず出力レベル調整制御部２４は、所定のゲインを、ゲインＧＣ１〜ＧＣｎとしてフェージング信号生成部２３Ｙ１〜２３Ｙｎの各出力レベル調整部２３５に出力する。この所定のゲインは、相関特性検出部２２２がベースバンド信号Ｘ１〜Ｘｎの相関特性を検出可能な範囲で設定されればよく、実験等によりあらかじめ測定して決定しておく。
【００５８】
出力レベル調整制御部２４によりゲインＧＣ１〜ＧＣｎが設定されると、フェージングシミュレータ２０は、ベースバンド信号生成部１１からのベースバンド信号Ｘ１〜Ｘｎの受信を開始する。これにより、ベースバンド信号生成部１１から出力されたベースバンド信号Ｘ１〜Ｘｍが、入力レベル測定部２２１と、相関特性検出部２２２と、フェージング信号生成部２３Ｙ１〜２３Ｙｎとに入力される。
【００５９】
（ステップＳ１６）
ベースバンド信号Ｘ１〜Ｘｎの受信が開始されると、出力レベル調整制御部２４は、相関特性検出部２２２からベースバンド信号Ｘ１〜Ｘｍ間における相関の有無が通知される。
【００６０】
（ステップＳ１７）
ベースバンド信号Ｘ１〜Ｘｍ間に相関がある場合には（ステップＳ１７、Ｙ）、出力レベル調整制御部２４は、レベルの調整方法として「自動ゲイン調整」を設定する（ステップＳ１８）。ベースバンド信号Ｘ１〜Ｘｍ間に相関が無い場合には（ステップＳ１７、Ｎ）、出力レベル調整制御部２４は、レベルの調整方法として「固定ゲイン調整」を設定する（ステップＳ１８）。レベルの調整方法の設定が完了すると、出力レベル調整制御部２４は、レベルの調整方法の特定に係る処理を終了する。
【００６１】
（フェージング信号のレベル調整）
次に、「フェージング信号のレベル調整」に係る出力レベル調整制御部２４の動作について図５を参照しながら説明する。図５は、フェージング信号のレベル調整に係る処理のフローチャートである。
【００６２】
（ステップＳ２１）
まず、出力レベル調整制御部２４は、ゲインＧＣ１〜ＧＣｎの初期値をフェージング信号生成部２３Ｙ１〜２３Ｙｎの各出力レベル調整部２３５に出力する。ゲインＧＣ１〜ＧＣｎの初期値は、上述の所定のゲインを用いるほか、「固定ゲイン調整」の設定ゲインを用いたり、フェージング条件に基づいて算出してもよい。
【００６３】
（ステップＳ２２）
ゲインＧＣ１〜ＧＣｎの初期値が設定されると、出力レベル調整制御部２４は、フェージング信号生成部２３Ｙ１〜２３Ｙｎにフェージング信号Ｙ１〜Ｙｎの生成を開始させる。
【００６４】
（ステップＳ２３）
次に、出力レベル調整制御部２４は、特定されたレベルの調整方法が「自動ゲイン調整」か否かを確認する。「自動ゲイン調整」ではない場合には（ステップＳ２３、Ｎ）、出力レベル調整制御部２４は、フェージング信号のレベル調整に係る処理を終了する。これにより、フェージング信号Ｚ１〜Ｚｎは、出力レベル調整部２３５によりゲインＧＣ１〜ＧＣｎの初期値に基づきレベルが調整され、フェージング信号Ｙ１〜Ｙｎとして出力される（即ち、「固定ゲイン調整」に基づきレベルが調整される）。なお、「固定ゲイン調整」に基づき動作する場合のゲインＧＣ１〜ＧＣｎとして、初期値とは異なるゲインを設定する場合には、出力レベル調整制御部２４は、処理を終了する前にゲインＧＣ１〜ＧＣｎを設定し直せばよい。
【００６５】
（ステップＳ２４）
「自動ゲイン調整」が設定されている場合には（ステップＳ２３、Ｙ）、出力レベル調整制御部２４は、入力レベル測定部２２１から入力レベルＰＩＮを受ける。
【００６６】
（ステップＳ２５）
また、出力レベル調整制御部２４は、フェージング信号生成部２３Ｙ１〜２３Ｙｎの各出力レベル測定部２３６から出力レベルＰＯＵＴ（即ち、ＰＯＵＴ１〜ＰＯＵＴｎ）を受ける。
【００６７】
（ステップＳ２６）
出力レベル調整制御部２４は、入力レベルＰＩＮと、出力レベルＰＯＵＴ１と、ゲインＧＯ１とに基づき、ベースバンド信号Ｘ１に対するフェージング信号Ｙ１のレベル比Ｋ１を算出する。レベル比Ｋ１は、次式により与えられる。
Ｋ１＝ＰＯＵＴ１／（ＧＯ１ＰＩＮ）
【００６８】
フェージング信号Ｙ２〜Ｙｎについても同様である。つまり、出力レベル調整制御部２４は、入力レベルＰＩＮと、出力レベルＰＯＵＴ２〜ＰＯＵＴｎと、ゲインＧＯ２〜ＧＯｎとに基づきレベル比Ｋ２〜Ｋｎを算出する。以下、フェージング信号Ｙ１の場合を例に説明する。
【００６９】
（ステップＳ２７、Ｓ２８）
出力レベル調整制御部２４は、算出されたレベル比Ｋ１が１か否かを判定する。ここで、ＧＯ１ＰＩＮは、操作者が所望するフェージング信号Ｙ１の出力レベルを示している。これに対し、ＰＯＵＴ１は、フェージング信号Ｙ１の実際の出力レベルを示している。そのため、出力レベル調整制御部２４は、Ｋ１≠１の場合には（ステップＳ２７、Ｎ）、Ｋ１が１に近づくようにＧＣ１を調整する（ステップＳ２８）。
【００７０】
具体的には、出力レベル調整制御部２４は、Ｋ１が１未満の場合には、ＧＯ１ＰＩＮに対してＰＯＵＴ１が小さいため、ＰＯＵＴ１が増大するようにＧＣ１を増大させる。また、出力レベル調整制御部２４は、Ｋ１が１より大きい場合には、ＧＯ１ＰＩＮに対してＰＯＵＴ１が大きいため、ＰＯＵＴ１が減少するようにＧＣ１を減少させる。このように、出力レベル調整制御部２４は、Ｋ１＝１となるように、出力レベルＰＯＵＴ１を追い込んでいく。Ｋ１＝１となった場合には（ステップＳ２７、Ｙ）、出力レベル調整制御部２４は、フェージング信号のレベル調整に係る処理を終了する。なお、出力レベルＰＯＵＴ１を追い込むための時間は、フェージング信号Ｙ１が発振しない時間に設定する。この時間は、実験等によりあらかじめ算出し、出力レベル調整制御部２４に設定しておく。
【００７１】
フェージング信号Ｙ２〜Ｙｎについても同様である。つまり、出力レベル調整制御部２４は、レベル比Ｋ２〜Ｋｎに基づきフェージング信号Ｙ２〜Ｙｎの出力レベルＰＯＵＴ２〜ＰＯＵＴｎが所望のレベル（即ち、ＧＯ２ＰＩＮ〜ＧＯｎＰＩＮ）となるように追い込む。
【００７２】
次に図１を参照する。送信部１２は、フェージング信号Ｙ１〜Ｙｎをフェージング演算部２１から受ける。送信部１２は、フェージング信号Ｙ１〜Ｙｎをアナログ信号に変換する。送信部１２は、このアナログ信号をあらかじめ決められた通信方式に基づいて周波数変換する。送信部１２は、周波数変換されたアナログ信号（即ち、搬送波）を被試験端末２に送信する。
【００７３】
表示制御部２６は、フェージング演算部２１に設定された「フェージング条件」や、フェージング信号の調整に係るパラメタを表示部２８に表示させる。フェージング信号の調整に係るパラメタとは、「入力レベルＰＩＮ」、「出力レベルＰＯＵＴ１〜ＰＯＵＴｎ」、及び「ベースバンド信号Ｘ１〜Ｘｍ間における相関の有無」を示している。ここで、「入力レベルＰＩＮ」及び「出力レベルＰＯＵＴ１〜ＰＯＵＴｎ」は、相対的な値であり絶対的な単位では特定できない。そのため、前述のレベル比Ｋを用いて、単位「ｄＢ」で表示してもよい。あるいは、ｄＢＦＳ（デシベル．フルスケール：ｄＢ  Ｆｕｌｌ  Ｓｃａｌｅ）により単位「ｄＢ」で表示してもよい。
【００７４】
表示制御部２６は、「フェージング条件」を設定制御部２５から受ける。また、表示制御部２６は、「入力レベルＰＩＮ」を入力レベル測定部２２１から受ける。また、表示制御部２６は、「出力レベルＰＯＵＴ１〜ＰＯＵＴｎ」をフェージング信号生成部２３Ｙ１〜２３Ｙｎの各出力レベル測定部２３６から受ける。また、表示制御部２６は、「ベースバンド信号Ｘ１〜Ｘｍ間における相関の有無」に関する通知を相関特性検出部２２２から受ける。
【００７５】
なお、出力レベル調整制御部２４は、レベル比Ｋ１をＫ１＝ＰＯＵＴ１／ＰＩＮに基づき算出してもよい。この場合には、出力レベル調整制御部２４は、Ｋ１＝ＧＯ１か否かを判定し、Ｋ１≠ＧＯ１の場合には、Ｋ１がＧＯ１に近づくようにＧＣ１を調整する。
【００７６】
また、出力レベル測定部２３６は、フェージング信号Ｙ１〜Ｙｎのレベルを出力レベルＰＯＵＴとして測定していたが、フェージング信号Ｚ１〜Ｚｎのレベルを出力レベルＰＯＵＴとして測定してもよい。この場合には、レベル比Ｋ１は次式により算出される。
Ｋ１＝（ＧＣ１ＰＯＵＴ１）／（ＧＯ１ＰＩＮ）
【００７７】
レベル比Ｋ２〜Ｋｎについても同様に、入力レベルＰＩＮと、出力レベルＰＯＵＴ２〜ＰＯＵＴｎと、ゲインＧＯ２〜ＧＯｎとに基づき算出することが可能である。
【００７８】
また、ベースバンド信号Ｘ１〜Ｘｍそれぞれのレベルが異なる場合については、フェージング演算部２１を、ベースバンド信号Ｘ１〜Ｘｍのレベルの組合せの数だけ設ければよい。
【００７９】
また、出力レベル調整制御部２４は、あらかじめ決められた時間内にＫ１＝１とならなかった場合に、このことを、表示制御部２６を介して表示部２８に表示させてもよい。これにより、操作者は、出力レベル調整部２３５及び出力レベル測定部２３６を含んで構成される負帰還回路の発振等により、出力レベルＰＯＵＴ２〜ＰＯＵＴｎが所定の値に収束しない場合に、これを検知することが可能となる。
【００８０】
以上、本実施形態に係るフェージングシミュレータ２０は、ベースバンド信号Ｘ１〜Ｘｍ間に相関関係がある場合、かつ各伝搬路間に相関関係がある場合に、ベースバンド信号のレベルＰＩＮとフェージング信号Ｙ１〜ＹｍのレベルＰＯＵＴとに基づきレベル比Ｋ１〜Ｋｎを算出する。フェージングシミュレータ２０は、このレベル比Ｋ１〜Ｋｎが１となるようにゲインＧＣを更新し、フェージング信号のレベルＰＯＵＴを調整する。これにより、フェージングシミュレータ２０は、ベースバンド信号Ｘ１〜Ｘｍ間に相関関係がある場合に、フェージング信号Ｙ１〜ＹｍのレベルＰＯＵＴを、操作者が所望するレベルＧＯ１ＰＩＮ〜ＧＯｎＰＩＮとなるように調整することが可能となる。つまり、フェージング条件によって一意にゲインを特定できない場合に、フェージング信号Ｙ１〜ＹｍのレベルＰＯＵＴを同様に調整することが可能となる。
【符号の説明】
【００８１】
１  移動体通信端末試験システム
１０  基地局模擬装置
１１  ベースバンド信号生成部
１２  送信部
２０  フェージングシミュレータ
２１  フェージング演算部
２２１  入力レベル測定部
２２２  相関特性検出部
２３１Ｘ１〜２３１Ｘｍ  演算コア部
２３２Ｘ１１〜２３２Ｘ１ｋ  マルチパス演算コア部
２３３Ｘ１  加算器
２３４  加算器
２３５  出力レベル調整部
２３６  出力レベル測定部
２３Ｙ１〜２３Ｙｎ  フェージング信号生成部
２４  出力レベル調整制御部
２５  設定制御部
２６  表示制御部
２７  操作部
２８  表示部
２  被試験端末
【図１】
0005663359.tif 000002
【図２】
0005663359.tif 000003
【図３】
0005663359.tif 000004
【図４】
0005663359.tif 000005
【図５】
0005663359.tif 000006